(57)【要約】【課題】画像読み取り中のジョブを中断させても、再度、画像の読み取りからやり直す手間を省き、作業効率の低下を防止する。【解決手段】中断の指示が受け付けられたジョブが画像の読み取り途中か否かを含む進行状況情報を生成し、当該進行状況情報と当該ジョブのＲＡＭに記憶されているジョブ情報とを対応付けてＨＤＤに記憶させ、実行再開の指示が受け付けられた際、ＨＤＤに記憶されているジョブ情報をＲＡＭに記憶させ、当該ジョブ情報に対応付けられた進行状況情報に基づいて、当該ジョブ情報のジョブが画像の読み取り中であるか否かを判別し、当該ジョブ情報のジョブが画像の読み取り中である場合、画像読取部により画像を読み取らせ、読み取られた画像のデータを当該ジョブのジョブ情報に加える画像形成装置。【選択図】図７
2009119738.tif 000002
【特許請求の範囲】
【請求項１】
複数の原稿の画像を読み取る画像読取部と、
前記画像読取部から読み取られた前記画像のデータを含むジョブ情報を記憶する第１記憶部と、
前記第１記憶部に記憶されているジョブ情報に基づいて用紙に画像を形成する画像形成部と、
前記第１の記憶部に記憶されたジョブ情報に基づいて画像の読み取り又は画像の形成が実行されているジョブの中断の指示を受け付ける第１入力部と、
ジョブの実行再開の指示を受け付ける第２入力部と、
前記第１入力部により中断の指示が受け付けられたジョブの前記第１記憶部に記憶されているジョブ情報を記憶する不揮発性の第２記憶部と、
前記第１入力部により中断の指示が受け付けられたジョブが画像の読み取り途中か否かを含む進行状況情報を生成し、当該進行状況情報と当該ジョブのジョブ情報とを対応付けて前記第２記憶部に記憶させ、前記第２入力部により実行再開の指示が受け付けられた際、前記第２記憶部に記憶されているジョブ情報を前記第１記憶部に記憶させ、当該ジョブ情報に対応付けられた進行状況情報に基づいて当該ジョブ情報のジョブが画像の読み取り中であるか否かを判別し、当該ジョブ情報のジョブが画像の読み取り中である場合、前記画像読取部により画像を読み取らせ、読み取られた画像のデータを当該ジョブのジョブ情報に加える制御部と、
を備えた画像形成装置。
【請求項２】
前記制御部は、
前記第２入力部により実行再開の指示が受け付けられた際、前記ジョブ情報のジョブが画像の読み取り中でない場合、前記ジョブ情報に基づいて前記画像形成部により画像を形成させる、
請求項１に記載の画像形成装置。
【請求項３】
前記第２入力部により実行再開の指示が受け付けられた際、前記ジョブ情報のジョブが画像の読み取り中である場合、画像読取部による画像の読み取りを行うことを報知する報知部を備える、
請求項１又は２に記載の画像形成装置。
【請求項４】
前記報知部は、
前記ジョブ情報に基づいて、前記画像読取部から読み取り済みの前記画像の枚数を報知する、
請求項３に記載の画像形成装置。
【請求項５】
ジョブの設定情報の指示を受け付ける第３入力部を備え、
前記画像読取部は、
前記第３入力部により受け付けられた設定情報に基づいて複数の原稿の画像を読み取り、
前記第１記憶部は、
前記第３入力部により入力された設定情報と前記画像読取部から読み取られた前記画像のデータとを対応付けて記憶し、
前記制御部は、
前記第２入力部により実行再開の指示が受け付けられた際、前記ジョブ情報のジョブが画像の読み取り中である場合、前記ジョブ情報の設定情報に基づいて前記画像読取部により画像を読み取らせる、
請求項１から４のいずれか一項に記載の画像形成装置。
【請求項６】
前記第３入力部は、
設定情報として、前記画像読取部によりジョブ情報を構成する全ての画像のデータの読み取りが完了した後、前記画像形成部による当該ジョブ情報に基づく画像の形成を実行させる一括読取モードの設定を受け付ける第４入力部を有し、
前記制御部は、
前記第２入力部により実行再開の指示が受け付けられた際、前記第２記憶部に記憶されているジョブ情報を前記第１記憶部に記憶させ、当該ジョブ情報に対応つけられた進行状況情報に一括読取モードが設定されているか否かに基づいて、当該ジョブ情報のジョブが画像の読み取り中であるか否かを判別し、一括読取モードが設定されている場合、当該ジョブ情報のジョブが画像の読み取り中であると判別する、
請求項５に記載の画像形成装置。
【請求項７】
前記制御部は、
前記第２入力部により実行再開の指示が受け付けられた際、前記ジョブ情報のジョブが画像の読み取り中である場合、前記第３入力部により前記設定情報の指示を受け付け、当該受け付けられた設定情報を当該ジョブ情報の設定情報として更新する、
請求項５又は６に記載の画像形成装置。
【発明の詳細な説明】
【技術分野】
【０００１】
本発明は、画像形成装置に関する。
【背景技術】
【０００２】
近年、ジョブ毎に画像データを含むジョブ情報を一端格納し、出力時にジョブ情報を読み出して実行する画像形成装置がある。このような画像形成装置は、実行の中断やジョブのキャンセルの指示があったり、トラブルが発生した場合等に電源を一旦切らなくてはならなかったりした場合、未完了のジョブのジョブ情報が消去されてしまい、再度、未完了のジョブ情報を取得する必要があった。
【０００３】
そこで、ジョブ毎の画像データを不揮発性記録媒体に記憶させると共に、ジョブ毎の画像データの記憶一を管理するジョブ管理情報を揮発メモリに記憶し、各ジョブの終了時又は所定時間経過後毎に、揮発メモリに保存されているジョブ管理情報の複製を不揮発性記録媒体に更新保存し、起動時にジョブ管理情報を不揮発性記録媒体から揮発メモリに復元し、当該復元されたジョブ管理情報に基づいて画像形成動作を再開させる画像形成装置が開示されている（特許文献１参照）。
【０００４】
印刷を途中で保存終了させるための中断終了キーが押下されたときには、途中のデータを不揮発性記憶装置へ蓄積して終了し、オペレータの指示によってデータの再送なしに再印刷する制御を行なう画像形成装置が開示されている（特許文献２参照）。
【特許文献１】特開２００５−２２０９９号公報
【特許文献２】特開２００６−３５５３３号公報
【発明の開示】
【発明が解決しようとする課題】
【０００５】
しかしながら、上述したような従来の技術は、ジョブ毎のジョブ情報が一旦画像形成装置内に記憶された後の場合において、ジョブの中断やキャンセル、電力供給の停止が発生した場合であっても、未実行の当該ジョブ情報を失わず再取得の動作を不要とするものである。そのため、原稿の画像を読み取り、当該読み取った画像の画像データを用紙に画像形成するジョブであって原稿枚数が多量である場合において、例えば、業務時間内には原稿の画像の読み取りを完了することができなかったため、画像の読み取りを中断して、次の日に、継続して読み取りを行いたい場合であっても、一旦、画像形成装置の電源を停止してしまうと、画像の読み取りを中断したジョブ情報は保存されない。従って、再度、初めの原稿から画像の読み取りを行なわなくてはならならず、作業効率が悪くなるという問題がある。
【０００６】
本発明の課題は、上記問題に鑑みて、画像読み取り中のジョブを中断させても、再度、画像の読み取りからやり直す手間を省き、作業効率の低下を防止することである。
【課題を解決するための手段】
【０００７】
請求項１に記載の発明は、複数の原稿の画像を読み取る画像読取部と、前記画像読取部から読み取られた前記画像のデータを含むジョブ情報を記憶する第１記憶部と、前記第１記憶部に記憶されているジョブ情報に基づいて用紙に画像を形成する画像形成部と、前記第１の記憶部に記憶されたジョブ情報に基づいて画像の読み取り又は画像の形成が実行されているジョブの中断の指示を受け付ける第１入力部と、ジョブの実行再開の指示を受け付ける第２入力部と、前記第１入力部により中断の指示が受け付けられたジョブの前記第１記憶部に記憶されているジョブ情報を記憶する不揮発性の第２記憶部と、前記第１入力部により中断の指示が受け付けられたジョブが画像の読み取り途中か否かを含む進行状況情報を生成し、当該進行状況情報と当該ジョブのジョブ情報とを対応付けて前記第２記憶部に記憶させ、前記第２入力部により実行再開の指示が受け付けられた際、前記第２記憶部に記憶されているジョブ情報を前記第１記憶部に記憶させ、当該ジョブ情報に対応付けられた進行状況情報に基づいて当該ジョブ情報のジョブが画像の読み取り中であるか否かを判別し、当該ジョブ情報のジョブが画像の読み取り中である場合、前記画像読取部により画像を読み取らせ、読み取られた画像のデータを当該ジョブのジョブ情報に加える制御部と、を備えた画像形成装置である。
【０００８】
請求項２に記載の発明は、請求項１に記載の画像形成装置において、前記制御部は、前記第２入力部により実行再開の指示が受け付けられた際、前記ジョブ情報のジョブが画像の読み取り中でない場合、前記ジョブ情報に基づいて前記画像形成部により画像を形成させる。
【０００９】
請求項３に記載の発明は、請求項１又は２に記載の画像形成装置において、前記第２入力部により実行再開の指示が受け付けられた際、前記ジョブ情報のジョブが画像の読み取り中である場合、画像読取部による画像の読み取りを行うことを報知する報知部を備える。
【００１０】
請求項４に記載の発明は、請求項３に記載の画像形成装置において、前記報知部は、前記ジョブ情報に基づいて、前記画像読取部から読み取り済みの前記画像の枚数を報知する。
【００１１】
請求項５に記載の発明は、請求項１から４のいずれか一項に記載の画像形成装置において、ジョブの設定情報の指示を受け付ける第３入力部を備え、前記画像読取部は、前記第３入力部により受け付けられた設定情報に基づいて複数の原稿の画像を読み取り、前記第１記憶部は、前記第３入力部により入力された設定情報と前記画像読取部から読み取られた前記画像のデータとを対応付けて記憶し、前記制御部は、前記第２入力部により実行再開の指示が受け付けられた際、前記ジョブ情報のジョブが画像の読み取り中である場合、前記ジョブ情報の設定情報に基づいて前記画像読取部により画像を読み取らせる。
【００１２】
請求項６に記載の発明は、請求項５に記載の画像形成装置において、前記第３入力部は、設定情報として、前記画像読取部によりジョブ情報を構成する全ての画像のデータの読み取りが完了した後、前記画像形成部による当該ジョブ情報に基づく画像の形成を実行させる一括読取モードの設定を受け付ける第４入力部を有し、前記制御部は、前記第２入力部により実行再開の指示が受け付けられた際、前記第２記憶部に記憶されているジョブ情報を前記第１記憶部に記憶させ、当該ジョブ情報に対応つけられた進行状況情報に一括読取モードが設定されているか否かに基づいて、当該ジョブ情報のジョブが画像の読み取り中であるか否かを判別し、一括読取モードが設定されている場合、当該ジョブ情報のジョブが画像の読み取り中であると判別する。
【００１３】
請求項７に記載の発明は、請求項５又は６に記載の画像形成装置において、前記制御部は、前記第２入力部により実行再開の指示が受け付けられた際、前記ジョブ情報のジョブが画像の読み取り中である場合、前記第３入力部により前記設定情報の指示を受け付け、当該受け付けられた設定情報を当該ジョブ情報の設定情報として更新する。
【発明の効果】
【００１４】
請求項１に記載の発明によれば、画像の読み取り中のジョブを中断させても、当該ジョブの進行状況情報と共にジョブ情報を保存させることができ、再開時には、進行状況情報に基づいて中断されたジョブが画像読み取り中で中断されたかを判別することができ、画像読み取り中の場合には、画像の読み取り動作から再開し、読み取った画像のデータを当該ジョブのジョブ情報に加えることができる。従って、中断されたジョブを再開時に中断時の状態から継続して実行することができるため、画像読み取り中のジョブを中断させても、再度、画像の読み取りからやり直す手間を省くことができ、作業効率の低下を防止することができる。
【００１５】
請求項２に記載の発明によれば、請求項１と同様の効果を得られるのは勿論のこと、中断時が画像の読み取り中でない場合には、再開時は画像を形成させる動作から継続して再開することができる。
【００１６】
請求項３に記載の発明によれば、請求項１又は２と同様の効果を得られるのは勿論のこと、中断されたジョブの再開時に、当該ジョブが画像の読み取り中である場合には、画像の読み取りを行うことを報知することができるため、ユーザに対して、当該ジョブが画像の読み取り途中であることを認識させることができる。
【００１７】
請求項４に記載の発明によれば、請求項３と同様の効果を得られるのは勿論のこと、読み取り済みの画像の枚数を報知することができるため、ユーザは読み取り済みの画像の枚数に基づいて画像が読み取られてない原稿の画像の読み取りを画像読取部に行わせることができる。
【００１８】
請求項５に記載の発明によれば、請求項１から４のいずれか一項と同様の効果を得られるのは勿論のこと、再開時も中断時に設定されていた設定情報に基づいて画像の読み取りを行なうことができるため、再開時に再度、設定情報を設定する手間を省くことができる。
【００１９】
請求項６に記載の発明によれば、請求項５と同様の効果を得られるのは勿論のこと、一括読取モードが設定されている中断されたジョブは、再開時に画像の読み取り動作から継続して再開することができる。
【００２０】
請求項７に記載の発明によれば、請求項５又は６と同様の効果を得られるのは勿論のこと、再開時に、第３入力部により設定情報の指示を受け付け、当該指示を設定情報として更新することができるため、中断時に設定されていた設定情報を変更することができ、使い勝手が向上される。
【発明を実施するための最良の形態】
【００２１】
以下、図を参照して本発明の実施の形態を詳細に説明する。
まず、構成を説明する。
図１に、本実施の形態における画像形成装置１の概略断面構成図を示す。
【００２２】
図１に示すように、画像形成装置１は、原稿から画像を読み取り、読み取った画像を用紙Ｐに画像形成したり、外部装置等から画像データを含むページデータや各画像データの画像形成条件等の設定情報を含むジョブのジョブ情報を受信し、受信したジョブ情報に基づいて画像を用紙Ｐ上に形成したりする本体部１ａと、画像が形成された用紙に後処理を施す後処理部５０等を備えたデジタル複合機である。本体部１ａは、画像読取部２０と、操作表示部３０と、プリント部４０と等を備えて構成される。
【００２３】
画像読取部２０は、ＡＤＦ（Auto Document Feeder）と称される自動原稿送り部２１と読取部２２とを備え、操作表示部３０により受け付けられた後述する設定情報に基づいて複数の原稿の画像を読み取る機能を実現する。自動原稿送り部２１の原稿トレイＴ１に載置された原稿ｄは、読取個所であるコンタクトガラスに搬送され、光学系により原稿ｄの片面又は両面の画像が読み取られ、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００２４】
画像読取部２０により読み取られた画像のデータ（アナログ画像信号）は、後述する画像制御基板の読取処理部１４０に出力され、読取処理部１４０においてＡ／Ｄ変換され各種画像処理が施された後、プリント部４０に出力される。
【００２５】
操作表示部３０は、ＬＣＤ（Liquid Crystal Display）、ＬＣＤを覆うように設けられたタッチパネル３１、主電源スイッチ３２ａ、副電源スイッチ３２ｂ、スタートボタン３３、ストップボタン３４、その他図示しない操作キー群から構成され、ユーザの入力を受け付けその入力情報を制御部１１０に出力し、また、制御部１１０から入力される表示信号に従って、各種設定条件を入力するための各種設定画面や各種処理結果等を表示する。
【００２６】
主電源スイッチ３２ａは、画像形成装置１全体に電力の供給又は停止を行なうスイッチであり、ＯＮ状態の場合は電力を供給させ、ＯＦＦ状態の場合は電力の供給を停止させるスイッチである。副電源スイッチ３２ｂは、主電源スイッチ３２ａがＯＮ状態である場合において画像形成装置１の制御系に電力の供給又は停止を行なうスイッチであり、ＯＮ状態の場合は電力を供給させ、ＯＦＦ状態の場合は電力の供給を停止させるスイッチである。
【００２７】
スタートボタン３３は、画像形成装置１における所定の動作を実行させる指示を受け付けるボタンであり、当該スタートボタン３３が押下されることにより、所定の動作の実行が開始される。ストップボタン３４は、実行中の動作を停止させる指示を受け付けるボタンであり、当該ストップボタン３４が押下されることにより、実行中の動作が停止される。
【００２８】
操作表示部３０のタッチパネル３１上には、ジョブを実行する際、当該ジョブにおける設定情報の指示を受け付ける設定画面（図９参照）や、ジョブを中断する際に表示される中断画面（図１０参照）や、中断されたジョブ（中断ジョブ）を再開する際に表示される各種画面（読取再開画面、画像形成再開画面等（図１１、１２参照））が表示され、当該画面により受け付けられた指示を示す操作信号を後述する制御部１１０に出力する。
【００２９】
プリント部４０は、入力されたプリントデータに基づいて、電子写真方式の画像形成処理を行うものであり、給紙部４１、給紙搬送部４２、画像形成部４３、搬出部４４を備えて構成される。
【００３０】
給紙部４１は、複数の給紙トレイ４１ａ、給紙手段４１ｂ、手差しトレイＴ２等を備える。給紙トレイ４１ａは、給紙トレイ４１ａ毎に用紙の種類毎に予め識別された用紙Ｐが収容されており、給紙手段４１ｂによって用紙Ｐを最上部から一枚ずつ給紙搬送部４２に向けて搬送する。手差しトレイＴ２は、ユーザのニーズに合わせて様々な種類の用紙Ｐを積載可能となっており、給紙ローラによって積載された用紙Ｐを最上部から一枚ずつ給紙搬送部４２に向けて搬送する。
【００３１】
給紙搬送部４２は、給紙トレイ４１ａ又は手差しトレイＴ２から搬送された用紙Ｐを、複数の中間ローラ、レジストローラ４２ａ等を経て転写装置４３ａへと搬送する。
また、給紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００３２】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備え、後述するＲＡＭ１３１に記憶されているジョブ情報に基づいて用紙に画像を形成する機能を実現する。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００３３】
定着装置４３ｂは、給紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００３４】
後処理部５０は、画像形成された用紙のソート処理を行うソート部、パンチ処理を行うパンチ部、設定された綴じ位置に用紙の束を綴じるステイプル処理を行うステイプル部、折り処理を行う折り部、断裁処理を行う断裁部等の後処理ユニットと、本体部１ａにより画像形成された用紙や各種後処理が施された用紙が排紙され積載される排紙トレイＴ３を備える。
【００３５】
図２に、画像形成装置１の制御ブロック図を示す。
図２に示すように、画像形成装置１は、本体部１ａとプリンタコントローラ１ｂと、本体部１ａに接続された後処理部５０から構成されている。画像形成装置１は、プリンタコントローラ１ｂのＬＡＮＩＦ（Local Area Network InterFace）１４を介してネットワーク３上の外部装置２と相互に情報の送受信が可能に接続されている。
【００３６】
本体部１ａは、画像読取部２０、操作表示部３０、プリント部４０、画像制御基板１００を備えて構成される。なお、図１で説明した各部と同一の構成には、同一の符号を付してその説明を省略する。
【００３７】
画像制御基板１００は、制御部１１０、不揮発メモリ１２０、ＲＡＭ（Random Access Memory）１３１、ＨＤＤ（Hard Disk Drive）１３２、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０、から構成される。
【００３８】
制御部１１０は、ＣＰＵ（Central Processing Unit）等から構成され、不揮発メモリ１２０に格納されているシステムプログラム及び各種アプリケーションプログラムの中から指定されたプログラムを読み出してＲＡＭ１３１に展開し、ＲＡＭ１３１に展開されたプログラムとの協働で、各種処理を実行し、画像形成装置１の各部を集中制御する。
例えば、操作表示部３０や外部装置２から入力される指示信号に従って、コピーモード、プリンタモード、スキャナモードを切り替え、複写、プリント、画像データの読取等の制御を行う。
【００３９】
制御部１１０は、不揮発メモリ１２０から本実施の形態に係るジョブ実行時におけるジョブ実行処理プログラムと、当該プログラム及び各種データとの協働により、ＲＡＭ１３１に記憶されたジョブ情報に基づいて画像の読み取り又は画像の形成が実行されているジョブの中断の指示が操作表示部３０により受け付けさられた場合、当該中断の指示が受け付けられたジョブが画像の読み取り途中か否かを含む進行状況情報を生成し、当該進行状況情報と当該ジョブのジョブ情報とを対応付けてＨＤＤ１３２に記憶させ、操作表示部３０により実行再開の指示が受け付けられた際、ＨＤＤ１３２に記憶されているジョブ情報をＲＡＭ１３１に記憶させ、当該ジョブ情報に対応付けられた進行状況情報に基づいて、当該ジョブ情報のジョブが画像の読み取り中であるか否かを判別し、当該ジョブ情報のジョブが画像の読み取り中である場合、画像読取部２０により画像を読み取らせ、読み取られた画像のデータを当該ジョブのジョブ情報に加える処理を制御する。
【００４０】
不揮発メモリ１２０は、画像形成に係る各種処理プログラム及びデータの他、本実施の形態に係るジョブ実行処理プログラム、各種プログラムで処理されたデータ等を記憶する。
【００４１】
ＲＡＭ１３１は、制御部１１０により実行される各種プログラム及びこれらプログラムに係る各種データ等を一時的に記憶するワークエリアを形成すると共に、操作表示部３０により受け付けられた設定情報と画像読取部２０から読み取られた原稿の画像のデータ（画像データ）とが対応付けられたジョブ情報を記憶する第１記憶部として機能する。
【００４２】
図３に、ＲＡＭ１３１に記憶されている複数のジョブ情報からなるジョブ情報群１３１ａの例を示す。
【００４３】
図３に示すように、ジョブ情報群１３１ａは、ジョブ毎に設定された複数のジョブ情報１３１ａ１、１３１ａ２、１３１ａ３・・・から構成されている。各ジョブ情報は、各ジョブ情報が記憶されているＲＡＭ１３１内のアドレスを示すＲＡＭアドレスと、ジョブ情報の内容と、当該ジョブを識別するジョブ名とから構成されている。
ジョブ情報の内容としては、操作表示部３０により受け付けられた設定情報と、画像読取部２０から読み取られた画像の画像情報とを含む。画像情報は、読み取られた画像のデータ（画像データ）毎に、当該画像データが格納されている圧縮メモリ１７１のアドレスを示している。
【００４４】
ＨＤＤ１３２は、操作表示部３０により中断の指示が受け付けられたジョブのＲＡＭ１３１に記憶されているジョブ情報を記憶する不揮発性の第２記憶部として機能する。なお、本実施の形態としては、第２記憶部としてＨＤＤ１３２とするが、これに限らず、不揮発性の読み書き可能な記憶媒体であればよい。
【００４５】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００４６】
圧縮ＩＣ１５０は、入力されたデジタル画像データに圧縮処理を施してＤＲＡＭ制御ＩＣ１６０に出力する。
【００４７】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。
例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００４８】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００４９】
伸長ＩＣ１８０は、圧縮画像データに伸長処理を施す。
【００５０】
書込処理部１９０は、ＤＲＡＭ制御ＩＣ１６０から入力された画像データに基づいて、画像形成のためのプリントデータを生成し、プリント部４０に出力する。
【００５１】
画像読取部２０は、ＣＣＤ２２ａ、画像読取制御部２００、その他ここでは図示しないが図１に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００５２】
操作表示部３０は、タッチパネル３１、操作表示制御部３００、その他ここでは図示しないが図１に示した主電源スイッチ３２ａ、副電源スイッチ３２ｂ、スタートボタン３３、ストップボタン３４や、テンキー等の操作キー群から構成される。操作表示制御部３００は、制御部１１０から入力される表示信号に従って、各種設定条件を入力するための各種画面や各種処理結果等をＬＣＤに表示させる。また、操作表示制御部３００は、各種スイッチやボタン、テンキー、操作キー群又はタッチパネル３１から入力される操作信号を制御部１１０に出力する。
【００５３】
プリント部４０は、図１に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理部５０の各部を動作させる指示信号を後処理制御部５００に出力する。
【００５４】
後処理部５０は、各種後処理ユニット、各種後処理ユニットへ用紙を搬送する搬送ローラ等の搬送手段、各種後処理ユニットから搬送された用紙が排紙される排紙トレイＴ３等が設けられており、各種後処理ユニットは後処理制御部５００により統括的に制御されている。後処理制御部５００は、制御部１１０からプリント制御部４００を介して入力される後処理の指示信号に応じて、用紙Ｐを搬送経路に沿って所定の後処理ユニットに搬送し、各部を駆動制御して用紙Ｐに所定の後処理を行わせ、排紙トレイＴ３に排紙させる制御を行う。
【００５５】
次に、プリンタコントローラ１ｂの各部について説明する。プリンタコントローラ１ｂは、画像形成装置１をネットワークプリンタとして使用する場合に、ネットワーク３に接続される外部装置２から画像形成装置１に入力されるジョブの管理及び制御を行うものであり、外部装置２からプリント対象のデータを受信し、当該データをジョブとして本体部１ａへ送信する。
【００５６】
プリンタコントローラ１ｂは、コントローラ制御部１１、ＤＲＡＭ制御ＩＣ１２、画像メモリ１３、ＬＡＮＩＦ１４から構成される。
【００５７】
コントローラ制御部１１は、プリンタコントローラ１ｂ各部の動作を統括的に制御し、ＬＡＮＩＦ１４を介して、外部装置２から入力されるデータをジョブとして本体部１ａへ送信する。
【００５８】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００５９】
画像メモリ１３は、ＤＲＡＭから構成され、入力された出力データを一時的に格納する。
【００６０】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００６１】
次に、本実施の形態の動作を説明する。
図４〜８に、本実施の形態におけるジョブ実行処理のフローチャートを示す。図４〜８に示すフローチャートは、制御部１１０によって実行される処理である。
まず、図４に、ジョブ実行処理の基本フローチャートを示し、説明する。
【００６２】
制御部１１０は、操作表示部３０のＬＣＤ上に設定画面を表示させ、ジョブの設定情報を受け付け、当該設定画面上において受け付けられた設定情報をジョブの設定情報として設定し、ＲＡＭ１３１のジョブ情報に記憶させる設定処理を実行する（ステップＳ１）。
【００６３】
図９に、設定画面Ｇ１の例を示す。
図９に示すように、設定画面Ｇ１は、原稿設定領域Ｅ１１、画質設定領域Ｅ１２、倍率設定領域Ｅ１３、片面／両面設定領域Ｅ１４、応用設定領域Ｅ１５、出力設定領域Ｅ１６、用紙予約設定領域Ｅ１７を有しており、原稿の読み取り方向や向き等の原稿読取条件の各種設定、画像形成される画像の画質や倍率等の画像形成条件の各種設定、画像が形成される用紙に関する各種設定などを行なう画面であり、当該設定画面Ｇ１において設定された各種設定指示がジョブの設定情報の指示として受け付けられる。従って、設定画面Ｇ１は、第３入力部として機能する。
【００６４】
また、原稿設定領域Ｅ１１は、一括読取ボタンＢ１０を備える。この一括読取ボタンＢ１０が押下されてＯＮ状態である場合には、原稿の画像データの読み取りのみ実行され、ＯＮ状態の一括読取ボタンＢ１０が再度押下されてＯＦＦ状態に切り替わり、スタートボタンＢ３３が押下されると、読み取られた画像データに基づいて画像形成が開始される。
【００６５】
従って、ユーザは、一括読取ボタンＢ１０を押下してＯＮ状態とし、ジョブを構成する全ての原稿の画像データを一括して読み取らせて読み取り動作を完了させ、その後、当該一括読取ボタンＢ１０をＯＮ状態からＯＦＦ状態に切り替えてスタートボタンＢ３３を押下して、読み取らせた画像データに基づいて一括して画像形成を行わせることができる。
【００６６】
このことから、一括読取ボタンＢ１０は、設定情報として、画像読取部２０によりジョブ情報を構成する全ての原稿の画像データの読み取りが完了した後、画像形成部４３による当該ジョブ情報に基づく画像の形成を実行させる一括読取モードの設定を受け付ける第４入力部として機能する。
【００６７】
制御部１１０は、操作表示部３０のＬＣＤ上に設定画面を表示させた後、当該設定画面上において押下された操作信号に基づいてジョブの設定情報を受け付け、原稿読み取り開始か否かを判別する（ステップＳ２）。原稿読み取り開始か否かの判別は、例えば、原稿トレイＴ１に原稿が載置又はプラテンガラス上に原稿が載置された検出信号が入力され、スタートボタン３３が押下された場合を、原稿読み取り開始と判別する。
【００６８】
制御部１１０は、原稿読み取り開始ではない場合（ステップＳ２；Ｎｏ）、ステップＳ１に戻り、原稿読み取り開始である場合（ステップＳ２；Ｙｅｓ）、原稿読取処理（図５参照）を実行し（ステップＳ３）、また、画像形成処理（図６参照）を実行し（ステップＳ４）、本処理を終了する。
【００６９】
図５に、原稿読取処理のフローチャートを示す。
制御部１１０は、画像読取部２０を駆動させ、ＲＡＭ１３１に記憶されたジョブ情報の設定情報に基づいて原稿から画像の読み取り、読み取った画像のデータ（画像データ）を圧縮メモリ１７１に格納させると共に、当該画像データが格納された圧縮メモリ１７１のアドレスを当該ジョブ情報に加える処理を開始させ（ステップＳ１１）、原稿読取中断の指示が受け付けられたか否かを判別する（ステップＳ１２）。
【００７０】
ステップＳ１２における原稿読取中断の指示としては、例えば、画像読取部２０が動作中にストップボタン３４が押下され、副電源スイッチ３２ｂがＯＦＦされた場合である。本実施の形態においては、ストップボタン３４及び副電源スイッチ３２ｂにより、ＲＡＭ１３１に記憶されたジョブ情報に基づいて画像の読み取りが実行されているジョブの中断の指示を受け付ける第１入力部として機能する。
【００７１】
制御部１１０は、原稿読取中断の指示が受け付けられた場合（ステップＳ１２；Ｙｅｓ）、ジョブ中断処理を実行し（ステップＳ１３）、本処理を終了する。
【００７２】
制御部１１０は、原稿読取中断の指示が受け付けられていない場合（ステップＳ１２；Ｎｏ）、ジョブ情報の設定情報に一括読取モードが設定されているか否か、即ち、一括読取ボタンＢ１０がＯＮ状態であるか否かを判別する（ステップＳ１４）。
【００７３】
制御部１１０は、一括読取モードが設定されていない場合、即ち、一括読取ボタンＢ１０がＯＦＦ状態である場合（ステップＳ１４；Ｎｏ）、画像形成を開始するために最低限必要な画像データの読み取りが完了しているか否かを判別する（ステップＳ１５）。ステップＳ１５は、例えば、用紙の片面に画像形成を行う場合には、片面分の画像データの読み取りが完了したか否かを判別するものである。
【００７４】
制御部１１０は、画像形成を開始するために最低限必要な画像データの読み取りが完了していない場合（ステップＳ１５；Ｎｏ）、ステップＳ１２に戻り、画像形成を開始するために最低限必要な画像データの読み取りが完了した場合（ステップＳ１５；Ｙｅｓ）、本処理を終了し、画像形成処理へ進む。従って、一括読取モードが設定されていない場合には、原稿読取処理と画像形成処理が並行して実行されうる。
【００７５】
制御部１１０は、一括読取モードが設定されている場合、即ち、一括読取ボタンＢ１０がＯＮ状態である場合（ステップＳ１４；Ｙｅｓ）、ジョブを構成する全ての原稿の画像データの読み取りが完了したか否かを判別する（ステップＳ１６）。
【００７６】
ステップＳ１６の判別としては、例えば、ＯＮ状態の一括読取ボタンＢ１０が再度押下されてＯＦＦ状態に切り替わり、読み取った画像データのうち最終番目に読み取られた画像データに最終情報が付加される場合、読み取った画像データに最終情報が付加されているか否かを判別することで、ジョブを構成する全ての原稿の画像データの読み取りが完了したか否かを判別する。
【００７７】
制御部１１０は、ジョブを構成する全ての原稿の画像データの読み取りが完了していない場合（ステップＳ１６；Ｎｏ）、ステップＳ１２に戻り、ジョブを構成する全ての原稿の画像データの読み取りが完了した場合（ステップＳ１６；Ｙｅｓ）、画像形成の開始の指示が受け付けられたか否か、例えば、スタートボタン３３が押下されたか否かを判別する（ステップＳ１７）。
【００７８】
制御部１１０は、画像形成の開始の指示が受け付けられていない場合（ステップＳ１７；Ｎｏ）、ステップＳ１７に戻り、画像形成の開始の指示が受け付けられた場合（ステップＳ１７；Ｙｅｓ）、本処理を終了し、画像形成処理に進む。
【００７９】
図６に、画像形成処理のフローチャートを示す。
制御部１１０は、ジョブ情報に基づいてプリント部４０を駆動させ画像形成動作を開始させ（ステップＳ２１）、画像形成中断の指示が受け付けられたか否かを判別する（ステップＳ２２）。
【００８０】
ステップＳ２２における画像形成中断の指示としては、例えば、プリント部４０が動作中にストップボタン３４が押下され、副電源スイッチ３２ｂがＯＦＦされた場合である。本実施の形態においては、ストップボタンＢ３４及び副電源スイッチ３２ｂが、ＲＡＭ１３１に記憶されたジョブ情報に基づいて画像の形成が実行されているジョブの中断の指示を受け付ける第１入力部として機能する。
【００８１】
制御部１１０は、画像形成中断の指示が受け付けられた場合（ステップＳ２２；Ｙｅｓ）、ジョブ中断処理を実行し（ステップＳ２３）、本処理を終了する。
【００８２】
制御部１１０は、画像形成中断の指示が受け付けられていない場合（ステップＳ２２；Ｎｏ）、ジョブを構成する全ての画像データに基づく画像形成が完了したか否かを判別する（ステップＳ２４）。
【００８３】
ステップＳ２４の判別としては、例えば、最終情報が付加されている画像データに基づいて用紙に画像が形成され、当該用紙が排紙トレイＴ３に排紙されたか否かを判別することで、ジョブを構成する全ての画像データに基づく画像形成が完了したか否かを判別する。
【００８４】
制御部１１０は、ジョブを構成する全ての画像データに基づく画像形成が完了していない場合（ステップＳ２４；Ｎｏ）、ステップＳ２２に戻り、ジョブを構成する全ての画像データに基づく画像形成が完了した場合（ステップＳ２４；Ｙｅｓ）、本処理を終了する。
【００８５】
図７に、中断処理のフローチャートを示す。
制御部１１０は、操作表示部３０のＬＣＤ上に中断画面を表示させる（ステップＳ３１）。
【００８６】
図１０に、中断画面Ｇ２の例を示す。
図１０に示すように、中断画面Ｇ２は、メッセージ領域Ｍ２と、電源ＯＦＦ承認ボタンＢ２１と、ジョブ保存ボタンＢ２２とを有する。
【００８７】
メッセージ領域Ｍ２は、ＲＡＭ１３１に実行されていないジョブ（予約ジョブ）又は中断されたジョブ（中断ジョブ）のジョブ情報がある旨、副電源スイッチ３２ｂがＯＦＦとされたことから、副電源スイッチ３２ｂがＯＮされ当該画像形成装置１が再起動した場合には、予約ジョブ又は中断ジョブのジョブ情報に基づくジョブの実行は不可である旨、などを報知する領域である。
【００８８】
電源ＯＦＦ承認ボタンＢ２１は、ＲＡＭ１３１に記憶されている予約ジョブ又は中断ジョブをＨＤＤ１３２に記憶させずに、画像形成装置１の制御系に対する電力の供給停止の実行の承認を受け付けるボタンである。ジョブ保存ボタンＢ２２は、ＲＡＭ１３１に記憶されている予約ジョブ又は中断ジョブをＨＤＤ１３２に記憶させた後に、画像形成装置１の制御系に対する電力の供給停止の実行の指示を受け付けるボタンである。
【００８９】
制御部１１０は、電源ＯＦＦ承認ボタンＢ２１又はジョブ保存ボタンＢ２２のうち、ジョブ保存ボタンＢ２２が押下されたか、即ち、ＲＡＭ１３１に記憶されている予約ジョブ又は中断ジョブをＨＤＤ１３２に記憶させた後に、画像形成装置１の制御系に対する電力の供給停止の実行の指示を受け付けたかを判別する（ステップＳ３２）。
【００９０】
制御部１１０は、ジョブ保存ボタンＢ２２が押下されず、電源ＯＦＦ承認ボタンＢ２１が押下された場合（ステップＳ３２；Ｎｏ）、本処理を終了する。そして、制御系の電力供給が停止される。
【００９１】
制御部１１０は、ジョブ保存ボタンＢ２２が押下された場合（ステップＳ３２；Ｙｅｓ）、中断の指示は、原稿画像読み取り中であるか否か、即ち、画像読取部２０が動作中か否かを判別する（ステップＳ３３）。
【００９２】
制御部１１０は、原稿画像読み取り中である場合（ステップＳ３３；Ｙｅｓ）、画像読取制御部２００に対して画像読取部２０の動作を停止させる指示を出力し、画像読取部２０の停止処理を実行させる（ステップＳ３４）。
【００９３】
制御部１１０は、原稿画像読み取り中でない場合（ステップＳ３３；Ｎｏ）又はステップＳ３４後、中断の指示は、画像形成中か否か、即ち、プリント部４０が動作中か否かを判別する（ステップＳ３５）。
【００９４】
制御部１１０は、画像形成中である場合（ステップＳ３５；Ｙｅｓ）、プリント制御部４００に対してプリント部４０の動作を停止させる指示を出力し、プリント部４０の停止処理を実行させる（ステップＳ３６）。
【００９５】
制御部１１０は、画像形成中でない場合（ステップＳ３５；Ｎｏ）又はステップＳ３６後、進行状況情報を生成する（ステップＳ３７）。
【００９６】
ステップＳ３７において生成される進行状況情報は、中断の指示が受け付けられたときに実行されていたジョブ（中断ジョブ）の進行状況の内容を示す情報であり、当該ジョブが中断ジョブであることを示す情報、原稿の画像の読み取り途中か否か、画像形成の途中か否か、読み取り済みの画像枚数、画像形成済みの画像枚数等を含む。
【００９７】
制御部１１０は、ＲＡＭ１３１内に記憶されている中断ジョブのジョブ情報をＨＤＤ１３２に記憶させる（ステップＳ３８）。また、ＨＤＤ１３２に記憶されたジョブ情報の圧縮メモリ１７１に記憶されている画像データを当該ジョブ情報に対応付けてＨＤＤ１３２に記憶させる（ステップＳ３９）。更に、ステップＳ３７において生成した進行状況情報を当該ジョブ情報に対応付けてＨＤＤ１３２に記憶させ（ステップＳ４０）、本処理を終了する。そして、制御系の電力供給が停止される。
【００９８】
なお、ＲＡＭ１３１内に未実行のジョブ（予約ジョブ）がある場合は、予約ジョブ毎に、ＲＡＭ１３１内に記憶されている予約ジョブのジョブ情報をＨＤＤ１３２に記憶させ、また、ＨＤＤ１３２に記憶されたジョブ情報の圧縮メモリ１７１に記憶されている画像データを当該ジョブ情報に対応付けてＨＤＤ１３２に記憶させる。
【００９９】
また、ジョブ情報、画像データ、進行状況情報を圧縮してＨＤＤ１３２に記憶させてもよい。
【０１００】
図８に、画像形成装置１の制御系に電力供給が再開されたときに実行される再開処理のフローチャートを示す。
【０１０１】
制御部１１０は、副電源スイッチ３２ｂがＯＦＦ状態からＯＮされ、画像形成装置１の制御系に電力供給がされるとジョブの実行再開と判別し、ＨＤＤ１３２内に中断ジョブがあるか否かを判別し（ステップＳ５１）、中断ジョブがない場合（ステップＳ５１；Ｎｏ）、本処理を終了する。従って、本実施の形態においては、副電源スイッチ３２ｂがジョブの実行再開の指示を受け付ける第２入力部として機能する。
【０１０２】
制御部１１０は、中断ジョブある場合（ステップＳ５１；Ｙｅｓ）、ＨＤＤ１３２内の中断ジョブのジョブ情報を読み出し、ＲＡＭ１３１に展開して記憶させる（ステップＳ５２）。また、ＨＤＤ１３２内のＲＡＭ１３１に記憶された当該ジョブ情報の画像データを、ジョブ情報に設定された圧縮メモリ１７１のアドレスに対応する領域に記憶させる（ステップＳ５３）。更に、当該ジョブ情報に対応付けられたＨＤＤ１３２内の進行状況情報を読み出し、ＲＡＭ１３１に展開し記憶させる（ステップＳ５４）。
【０１０３】
なお、予約ジョブがＨＤＤ１３２内にある場合、予約ジョブ毎に、ＨＤＤ１３２内の予約ジョブのジョブ情報を読み出し、ＲＡＭ１３１に展開して記憶させ、また、ＨＤＤ１３２内のＲＡＭ１３１に記憶されたジョブ情報の画像データを、ジョブ情報に設定された圧縮メモリ１７１のアドレスに対応する領域に記憶させる。
【０１０４】
このように、ステップＳ５２〜５４により、ＲＡＭ１３１内の状態が、中断ジョブが発生したときの状態に復元される。
【０１０５】
制御部１１０は、中断ジョブのジョブ情報を参照し、当該ジョブ情報に設定されている設定情報が設定された状態の設定画面を操作表示部３０のＬＣＤ上に表示させると共に、一括読取モードが設定されているか否か、即ち、一括読取ボタンＢ１０がＯＮ状態であるか否かを判別する（ステップＳ５５）。
【０１０６】
制御部１１０は、一括読取モードが設定されている場合（ステップＳ５５；Ｙｅｓ）、画像の読み取り中であると判別し、操作表示部３０のＬＣＤ上に読取再開画面を表示させる（ステップＳ５６）。
【０１０７】
図１１に、読取再開画面Ｇ３の例を示す。
図１１に示すように、読取再開画面Ｇ３は、メッセージ領域Ｍ３、読取済画像枚数表示領域Ｅ３、設定変更ボタンＢ３１、ＯＫボタンＢ３２を有する。
【０１０８】
メッセージ領域Ｍ３は、一括読取モードが設定されている中断ジョブである、即ち、画像の読み取り中で中断されたジョブであることから読取再開画面Ｇ３が表示されているため、画像読取部２０による画像の読み取りから中断ジョブの実行を行うことを報知する領域である。
【０１０９】
読取済画像枚数表示領域Ｅ３は、中断ジョブのジョブ情報の画像情報又は進行状況情報に基づいて、画像読取部２０から読み取り済みの画像の枚数を報知する領域である。
【０１１０】
従って、メッセージ領域Ｍ３及び読取済画像枚数表示領域Ｅ３を有する再開画面Ｇ３は、報知部として機能する。この再開画面Ｇ３により、中断ジョブの再開時に、当該中断ジョブが画像の読み取り中である場合には、画像の読み取りを行うことを報知することができるため、ユーザに対して、当該中断ジョブが画像の読み取り途中であることを認識させることができる。また、読み取り済みの画像の枚数を報知することができるため、ユーザは読み取り済みの画像の枚数に基づいて画像が読み取られてない原稿の画像の読み取りを画像読取部２０に行わせることができる。
【０１１１】
設定変更ボタンＢ３１は、中断ジョブのジョブ情報の設定情報の変更の指示を受け付ける設定画面Ｇ１を表示させるボタンである。ＯＫボタンＢ３２は、中断ジョブのジョブ情報に設定されている設定情報に基づいて画像読取部２０により画像の読み取りを続行させる指示を受け付けるボタンである。
【０１１２】
制御部１１０は、読取再開画面を表示させた後、設定変更ボタンＢ３１が押下されたか否か、即ち、中断ジョブのジョブ情報の設定情報の変更の指示を受け付けたか否かを判別する（ステップＳ５７）。
【０１１３】
制御部１１０は、設定変更ボタンＢ３１が押下された場合（ステップＳ５７；Ｙｅｓ）、操作表示部のＬＣＤ上に設定画面Ｇ１を表示させ、当該設定画面Ｇ１において設定情報の変更指示を受け付け、当該設定画面上において受け付けられた設定情報をジョブの設定情報として更新する（ステップＳ５８）。
【０１１４】
制御部１１０は、設定変更ボタンＢ３１が押下されていない場合、即ち、ＯＫボタンＢ３２が押下された場合（ステップＳ５７；Ｎｏ）又はステップＳ５８後、原稿読み取り開始か否かを判別する（ステップＳ５９）。原稿読み取り開始か否かの判別は、例えば、ステップＳ２と同様であるため、説明は省略する。
【０１１５】
制御部１１０は、原稿読み取り開始ではない場合（ステップＳ５９；Ｎｏ）、ステップＳ５６に戻り、原稿読み取り開始である場合（ステップＳ５９；Ｙｅｓ）、ジョブ情報に設定されている設定情報に基づいて画像読取部２０により画像を読み取る原稿読取処理を実行し（ステップＳ６０）、また、画像形成処理を実行し（ステップＳ６１）、本処理を終了する。
【０１１６】
従って、ステップＳ５６；ＮｏかつステップＳ５８；Ｙｅｓ後の場合の原稿読取処理は、再開時も中断時に設定されていた設定情報に基づいて画像の読み取りを行なうことができるため、再開時に再度、設定情報を設定する手間を省くことができる。また、ステップＳ５６；Ｙｅｓ、Ｓ５８により、再開時に、設定画面Ｇ１による設定情報の指示を受け付け、当該指示を設定情報として更新することができるため、再開時の画像形成装置１の状態に応じて中断時に設定されていた設定情報を変更することができ、使い勝手が向上される。
【０１１７】
なお、ステップＳ６０の原稿読取処理は、図５を示して上述した原稿読取処理であり、ステップＳ６１の画像形成処理は、図６を示して上述した画像形成処理である。
【０１１８】
制御部１１０は、一括読取モードが設定されていない場合（ステップＳ５５；Ｎｏ）、中断ジョブの進行状況情報を参照し、当該中断ジョブは、原稿の画像の読み取り途中か否かを判別する（ステップＳ６２）。
【０１１９】
制御部１１０は、原稿の画像の読み取り途中である場合（ステップＳ６２；Ｙｅｓ）、ステップＳ５６に進む。制御部１１０は、原稿の画像の読み取り途中でない場合、即ち、ジョブを構成する全ての原稿の画像データの読み取りが完了しており、画像形成の途中である場合（ステップＳ６２；Ｎｏ）、操作表示部３０のＬＣＤ上に画像形成再開画面を表示させる（ステップＳ６３）。
【０１２０】
図１２に、画像形成再開画面Ｇ４の例を示す。
図１２に示すように、画像形成再開画面Ｇ４は、メッセージ領域Ｅ４と、ＯＫボタンＢ４０を有する。
【０１２１】
メッセージ領域Ｅ４は、原稿の画像の読み取り途中でない、即ち、ジョブを構成する全ての原稿の画像データの読み取りが完了しており画像形成の途中である中断ジョブであることから画像形成再開画面Ｇ４が表示されているため、プリント部４０による画像形成処理から中断ジョブの実行を行うことを報知する領域である。
ＯＫボタンＢ４０は、中断ジョブのジョブ情報に設定されている設定情報に基づいて画像形成を続行して開始させる指示を受け付けるボタンである。
【０１２２】
制御部１１０は、ＯＫボタンＢ４０が押下され、画像形成開始の指示を受け付けたか否かを判別し（ステップＳ６４）、画像形成開始の指示を受け付けていない場合（ステップＳ６４；Ｎｏ）、ステップＳ６３に戻り、画像形成開始の指示を受け付けた場合（ステップＳ６４；Ｙｅｓ）、ステップＳ６１に進む。
【０１２３】
以上のように、本実施の形態によれば、画像の読み取り中のジョブを中断させても、当該ジョブの進行状況情報と共にジョブ情報を保存させることができ、再開時には、進行状況情報に基づいて中断されたジョブが画像読み取り中で中断されたかを判別することができ、画像読み取り中の場合には、画像の読み取り動作から再開し、読み取った画像のデータを当該ジョブのジョブ情報に加えることができる。従って、中断ジョブを再開時に中断時の状態から継続して実行することができるため、画像読み取り中のジョブを中断させても、再度、画像の読み取りからやり直す手間を省くことができ、作業効率の低下を防止することができる。
【０１２４】
特に、一括読取モードが設定されている中断されたジョブは、再開時に画像の読み取り動作から継続して再開することができる。また、中断時が画像の読み取り中でない場合には、再開時は画像を形成させる動作から継続して再開することができる。
【０１２５】
また、本発明は、上記実施の形態の内容に限定されるものではなく、本発明の主旨を逸脱しない範囲で適宜変更可能である。
【図面の簡単な説明】
【０１２６】
【図１】画像形成装置の概略断面構成図である。
【図２】画像形成装置の制御ブロック図である。
【図３】ジョブ情報群の例を示す図である。
【図４】ジョブ実行処理の基本フローチャートである。
【図５】原稿読取処理のフローチャートである。
【図６】画像形成処理のフローチャートである。
【図７】中断処理のフローチャートである。
【図８】再開処理のフローチャートである。
【図９】設定画面の例を示す図である。
【図１０】中断画面の例を示す図である。
【図１１】読取再開画面の例を示す図である。
【図１２】画像形成再開画面の例を示す図である。
【符号の説明】
【０１２７】
１  画像形成装置
１ａ  本体部
１ｂ  プリンタコントローラ
２  外部装置
３  ネットワーク
１１  コントローラ制御部
１２  ＤＲＡＭ制御ＩＣ
１３  画像メモリ
１４  ＬＡＮＩＦ
２０  画像読取部
２１  自動原稿送り部
２２  読取部
２２ａ  ＣＣＤ
３０  操作表示部
３１  タッチパネル
３２ａ  主電源スイッチ
３２ｂ  副電源スイッチ
３３  スタートボタン
３４  ストップボタン
４０  プリント部
４１  給紙部
４１ａ  給紙トレイ
４１ｂ  給紙手段
４２  給紙搬送部
４２ａ  レジストローラ
４３  画像形成部
４３ａ  転写装置
４３ｂ  定着装置
４４  搬出部
５０  後処理部
１１０  制御部
１２０  不揮発メモリ
１３１  ＲＡＭ
１３１ａ  ジョブ情報群
１３１ａ１、１３１ａ２、１３１ａ３・・・  ジョブ情報
１３２  ＨＤＤ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  操作表示制御部
４００  プリント制御部
５００  後処理制御部
Ｂ１０  一括読取ボタン
Ｂ２１  電源ＯＦＦ承認ボタン
Ｂ２２  ジョブ保存ボタン
Ｂ３１  設定変更ボタン
Ｂ３２  ＯＫボタン
Ｂ４０  ＯＫボタン
ｄ  原稿
Ｅ３  読取済画像枚数表示領域
Ｅ１１  原稿設定領域
Ｅ１２  画質設定領域
Ｅ１３  倍率設定領域
Ｅ１４  片面／両面設定領域
Ｅ１５  応用設定領域
Ｅ１６  出力設定領域
Ｅ１７  用紙予約設定領域
Ｇ１  設定画面
Ｇ２  中断画面
Ｇ３  読取再開画面
Ｇ４  画像形成再開画面
Ｍ２、Ｍ３、Ｍ４  メッセージ領域
Ｐ  用紙
Ｔ１  原稿トレイ
Ｔ２  手差しトレイ
Ｔ３  排紙トレイ
【図１】
2009119738.tif 000003
【図２】
2009119738.tif 000004
【図３】
2009119738.tif 000005
【図４】
2009119738.tif 000006
【図５】
2009119738.tif 000007
【図６】
2009119738.tif 000008
【図７】
2009119738.tif 000009
【図８】
2009119738.tif 000010
【図９】
2009119738.tif 000011
【図１０】
2009119738.tif 000012
【図１１】
2009119738.tif 000013
【図１２】
2009119738.tif 000014